(57)【要約】【課題】吸込パネルが突出した構造であっても、簡単な構成で幼児などが手をかけて吸込パネルが開くのを防止できる空気調和機の室内機を提供する。【解決手段】床置き型または壁埋め込み型の空気調和機の室内機において、本体ケーシング(１１,１２)と、上記本体ケーシング(１１,１２)の前面側に取り付けられ、上端側の辺を中心に前後に回動して開閉される吸込パネル１３とを備える。【選択図】図６
2008256277.tif 000002
【特許請求の範囲】
【請求項１】
床置き型または壁埋め込み型の空気調和機の室内機であって、
本体ケーシング(１１,１２)と、
上記本体ケーシング(１１,１２)の前面側に取り付けられ、上端側の辺を中心に前後に回動して開閉される吸込パネル(１３)と
を備えたことを特徴とする空気調和機の室内機。
【請求項２】
請求項１に記載の空気調和機の室内機において、
上記吸込パネル(１３)の上側にリブ(４１)を設けると共に、
上記本体ケーシング(１１,１２)の上側に、上記吸込パネル(１３)の上記リブ(４１)が挿入された状態で上記吸込パネル(１３)を開閉自在に支持する支持穴(４２)を設けたことを特徴とする空気調和機の室内機。
【請求項３】
請求項１または２に記載の空気調和機の室内機において、
上記吸込パネル(１３)の下側に係止部(４３)を設けると共に、
上記本体ケーシング(１１,１２)の下側に、上記吸込パネル(１３)を閉じた状態で上記吸込パネル(１３)の上記係止部(４３)が係合する係合部(４４)を設けたことを特徴とする空気調和機の室内機。
【請求項４】
請求項１乃至３のいずれか１つに記載の空気調和機の室内機において、
上記吸込パネル(１３)は、前面全体が略平面であることを特徴とする空気調和機の室内機。
【請求項５】
請求項１乃至４のいずれか１つに記載の空気調和機の室内機において、
上記本体ケーシング(１１,１２)内に配置された送風ファン(１８)は、前面側から空気を吸い込んで半径方向外向に吹き出すターボファンであることを特徴とする空気調和機の室内機。
【発明の詳細な説明】
【技術分野】
【０００１】
この発明は、空気調和機の室内機に関し、詳しくは、床置き型または壁埋め込み型の空気調和機の室内機に関する。
【背景技術】
【０００２】
従来、空気調和機の室内機としては、室内の壁に後面側が接するように床に据え付けられる床置き型のものがある(例えば、特開２００６−６４２１６号公報(特許文献１)参照)。この床置き型の空気調和機の室内機では、エアフィルタを収納する吸込パネルがケーシング前面に開閉自在に取り付けられている。この吸込パネルは、下端の辺を軸にして上側が前後方向に回動して開く。
【０００３】
このような床置き型の空気調和機の室内機では、床置き構造である特性上、幼児などがつかまり立ちするときにつかみやすい部分が前面から突出していると、幼児が手をかけて力がかかる可能性があり、吸込パネルが強固にケーシングに固定されていないと、吸込パネルが勝手に開く恐れがあり危険である。
【０００４】
特に、上記床置き型の空気調和機の室内機において、デザイン上、吸込パネルにフラット面を採用した場合、吸込パネルの側方に吸込口を設けるため、吸込パネルを前面側に突出させる必要があり、幼児がつかまりやすい構造となる。
【特許文献１】特開２００６−６４２１６号公報
【発明の開示】
【発明が解決しようとする課題】
【０００５】
そこで、この発明の課題は、吸込パネルが突出した構造であっても、簡単な構成で幼児などが手をかけて吸込パネルが開くのを防止できる空気調和機の室内機を提供することにある。
【課題を解決するための手段】
【０００６】
上記課題を解決するため、この発明の空気調和機の室内機は、
床置き型または壁埋め込み型の空気調和機の室内機であって、
本体ケーシングと、
上記本体ケーシングの前面側に取り付けられ、上端側の辺を中心に前後に回動して開閉される吸込パネルと
を備えたことを特徴とする。
【０００７】
上記構成によれば、本体ケーシングの前面側に取り付けられた吸込パネルが、上端側の辺を中心に前後に回動して開閉することによって、吸込パネルの突出部分に手をかけて幼児がつかまり立ちしても、吸込パネルが上端側から開かない。したがって、吸込パネルが突出した構造であっても、簡単な構成で幼児などが手をかけて吸込パネルが開くのを防止できる。
【０００８】
また、一実施形態の空気調和機の室内機では、
上記吸込パネルの上側にリブを設けると共に、
上記本体ケーシングの上側に、上記吸込パネルの上記リブが挿入された状態で上記吸込パネルを開閉自在に支持する支持穴を設けた。
【０００９】
上記実施形態によれば、上記本体ケーシングの上側に設けられた支持穴に、吸込パネルの上側に設けられたリブが挿入された状態で吸込パネルを開閉自在に支持するので、簡単な構成で上端側の辺を中心に前後に回動して開閉する吸込パネル構造を実現できる。
【００１０】
また、一実施形態の空気調和機の室内機では、
上記吸込パネルの下側に係止部を設けると共に、
上記本体ケーシングの下側に、上記吸込パネルを閉じた状態で上記吸込パネルの上記係止部が係合する係合部を設けた。
【００１１】
上記実施形態によれば、上記本体ケーシングの下側に設けられた係合部に、吸込パネルの下側に設けられた係止部が係合して吸込パネルを閉じた状態となるので、吸込パネルを確実に本体ケーシングに固定でき、吸込パネルが下端側からも開くにくくでき、安全性がより向上する。
【００１２】
また、一実施形態の空気調和機の室内機では、上記吸込パネルは、前面全体が略平面である。
【００１３】
上記実施形態によれば、上記吸込パネルの前面全体が略平面であるので、側方などに吸込口を設けて美観を向上できる。
【００１４】
また、一実施形態の空気調和機の室内機では、上記本体ケーシング内に配置された送風ファンは、前面側から空気を吸い込んで半径方向外向に吹き出すターボファンである。
【００１５】
上記実施形態によれば、上記本体ケーシング内に配置された送風ファンに、前面側から空気を吸い込んで半径方向外向に吹き出すターボファンを用いることによって、シロッコファンなどに比べて送風性能が向上し、吸込パネルの前面に吸込口を大きく設ける必要がなく、吸込パネルの前面全体を略平面にして、側方などに吸込口を設けることにより送風性能を損なうことなく美観を向上できる。吸込パネルの前面全体を略平面に構成したり、ターボファンを用いる場合には、吸込パネルが前方に突出した形状にせざるを得ないので、上記のように吸込パネルが容易に開きにくい構造とすることは特に有効である。
【発明の効果】
【００１６】
以上より明らかなように、この発明の空気調和機の室内機によれば、吸込パネルが突出した構造であっても、簡単な構成で幼児などが手をかけて吸込パネルが開くのを防止できる空気調和機の室内機を実現することができる。
【００１７】
また、一実施形態の空気調和機の室内機によれば、本体ケーシングの上側に設けられた支持穴に、吸込パネルの上側に設けられたリブが挿入された状態で吸込パネルを開閉自在に支持するので、簡単な構成で上端側の辺を中心に前後に回動して開閉する吸込パネル構造を実現できる。
【００１８】
また、一実施形態の空気調和機の室内機によれば、本体ケーシングの下側に設けられた係合部に、吸込パネルの下側に設けられた係止部が係合して吸込パネルを閉じた状態となるので、吸込パネルを確実に本体ケーシングに固定でき、吸込パネルが下端側からも開くにくくでき、安全性がより向上する。
【００１９】
また、一実施形態の空気調和機の室内機によれば、吸込パネルの前面全体が略平面であるので、側方などに吸込口を設けて美観を向上できる。
【００２０】
また、一実施形態の空気調和機の室内機によれば、本体ケーシング内に配置された送風ファンに、前面側から空気を吸い込んで半径方向外向に吹き出すターボファンを用いることによって、シロッコファンなどに比べて送風性能が向上し、吸込パネルの前面に吸込口を大きく設ける必要がなく、吸込パネルの前面全体を略平面にして、側方などに吸込口を設けることにより送風性能を損なうことなく美観を向上できる。
【発明を実施するための最良の形態】
【００２１】
以下、この発明の空気調和機の室内機を図示の実施の形態により詳細に説明する。
【００２２】
図１はこの発明の実施の一形態の床置き型の空気調和機の室内機１の斜視図を示している。この室内機１は、図１に示すように、室内の壁面に後面側が取り付けられる略長方形状の底フレーム１１と、上記底フレーム１１の前面側に取り付けられ、前面に略長方形状の開口部(図示せず)を有する前面グリル１２と、前面グリル１２の開口部を覆うように取り付けられた吸込パネル１３とを備えている。上記底フレーム１１と前面グリル１２で本体ケーシングを構成している。
【００２３】
上記前面グリル１２の上部に上側吹出口１２aを設けると共に、前面グリル１２の下部に下側吹出口１２bを設けている。上記前面グリル１２の上側吹出口１２aにフラップ１４を設けている。このフラップ１４は、冷房運転および暖房運転時に回動して、上側吹出口１２aから冷風,温風を前方かつ斜め上方に吹き出し、運転停止時に上側吹出口１２aを覆う。
【００２４】
また、上記吸込パネル１３の上側に上側吸込口１３aを設け、吸込パネル１３の下側に下側吸込口１３bを設け、さらに吸込パネル１３の左右の側面に側方吸込口１３c(図１では右側のみを示す)を設けている。
【００２５】
また、上記底フレーム１１の前面グリル１２の後縁近傍に、上側カバー１５と、左側カバー(図示せず)と、右側カバー１７とを取り外し自在に夫々取り付けている。この上側カバー１５,左側カバーおよび右側カバー１７は、係止爪(図示せず)が夫々設けられ、その係止爪が底フレーム１１に設けられた係合部(図示せず)に係合することにより、上側カバー１５,左側カバーおよび右側カバー１７が底フレーム１１に夫々固定されている。
【００２６】
図２は上記室内機１の側面図を示している。図２に示すように、底フレーム１１の前面側に略平面形状の室内熱交換器１５が配置され、その裏面側に室内ファン１８を配置している。この室内ファン１８は、前面側から空気を吸い込んで半径方向外向に吹き出すターボファンである。図２において、上側カバー１５,左側カバー(図示せず)および右側カバー１７(図２に示す)は、底フレーム１１に取り付けられている。
【００２７】
この室内機１は、背面側を壁面に接するように床置きされる。あるいは、この室内機１において、図１,図２に示す上側カバー１５,左側カバー(図示せず)および右側カバー１７を外した状態で底フレーム１１の一部(前面グリル１２の後縁よりも背面側部分)を壁内に埋め込んで据え付けてもよい。
【００２８】
図３は上記室内機１の前面グリル１２と閉状態の吸込パネル１３の断面図を示しており、この前面グリル１２は底フレーム１１(図１に示す)に取り付けられる。図３に示すように、吸込パネル１３は、上端側の辺を中心に下側が前後に回動自在に取り付けられている(領域Ａ)。そして、閉状態において吸込パネル１３の下側が前面グリル１２に固定されている(領域Ｂ)。
【００２９】
図４は図３に示す室内機１の上側の領域Ａの拡大図を示しており、吸込パネル１３は、上部に後方に延びる水平部４０を有し、その水平部４０の後端から斜め上方かつ後方に向かって延びる２つのリブ４１を左右方向に所定の間隔をあけて設けている(図４では１つのみを示す)。一方、上記前面グリル１２は、吸込パネル１３のリブ４１に対向する位置に設けられた支持穴４２を設けている。上記前面グリル１２の支持穴４２に吸込パネル１３のリブ４１が挿入されている。上記リブ４１が挿入された状態で吸込パネル１３は、開閉自在に支持される。
【００３０】
また、図５は図３に示す室内機１の下側の領域Ｂの拡大図を示しており、吸込パネル１３は、下部に後方に延びる係止部４３を有し、その係止部４３に先端側が切り欠かれた環状の凹部４３aを設けている。一方、上記前面グリル１２は、吸込パネル１３の係止部４３に対向する位置に突設された係合部４４を設けている。上記吸込パネル１３の係止部４３の凹部４３aに前面グリル１２の係合部４４が係合して、吸込パネル１３の下側が前面グリル１２に固定される。
【００３１】
このような構成の空気調和機の室内機１によれば、図６に示すように、吸込パネル１３の下側を前方に引くことにより、吸込パネル１３の係止部４３の凹部４３aと前面グリル１２の係合部４４との係合が外れて、吸込パネル１３が上部のリブ４１が前面グリル１２の支持穴４２に支持されながら、吸込パネル１３が回動して開く。
【００３２】
この実施の形態の空気調和機の室内機１によれば、吸込パネル１３が突出した構造であっても、簡単な構成で幼児などが手をかけて吸込パネル１３が開くのを防止することができる。
【００３３】
また、上記前面グリル１２の上側に設けられた支持穴４２に、吸込パネル１３の上側に設けられたリブ４１が挿入された状態で吸込パネル１３を開閉自在に支持するので、簡単な構成で上端側の辺を中心に前後に回動して開閉する吸込パネル構造を実現できる。
【００３４】
また、上記前面グリル１２の下側に設けられた係合部４４に、吸込パネル１３の下側に設けられた係止部４３が係合して吸込パネル１３を閉じた状態となるので、吸込パネル１３を確実に前面グリル１２に固定でき、吸込パネル１３が下端側からも開くにくくでき、安全性がより向上する。
【００３５】
また、上記吸込パネル１３の前面全体が略平面であるので、側方などに吸込口を設けて美観を向上できる。
【００３６】
また、上記本体ケーシング内に配置された送風ファン１８に、前面側から空気を吸い込んで半径方向外向に吹き出すターボファンを用いることによって、シロッコファンなどに比べて送風性能が向上し、吸込パネル１３の前面に吸込口を大きく設ける必要がなく、吸込パネル１３の前面全体を略平面にして、側方などに吸込口を設けることにより送風性能を損なうことなく美観を向上できる。
【００３７】
上記実施の形態では、壁埋め込み型の空気調和機の室内機は、壁に設けられた凹部に背面側を埋め込んで設置する空気調和機の室内機について説明したが、床に底部が据え付けられるものに限らず、壁から離れた位置に設けられた凹部に背面側を埋め込んで設置するものでもよい。
【００３８】
また、上記実施の形態では、床置き型と壁埋め込み型のいずれにも適用できる空気調和機の室内機について説明したが、床置き型専用の空気調和機の室内機や壁埋め込み型専用の空気調和機の室内機にこの発明を適用してもよい。
【００３９】
さらに、上記実施の形態では、前面グリル１２の上側に設けられた支持穴４２に、吸込パネル１３の上側に設けられたリブ４１が挿入された状態で吸込パネル１３を開閉自在に支持する空気調和機の室内機について説明したが、吸込パネルの上端側の辺を中心にヒンジなどを用いて回動することにより吸込パネルを開閉するものでもよい。
【図面の簡単な説明】
【００４０】
【図１】図１はこの発明の実施の一形態の空気調和機の室内機の斜視図である。
【図２】図２は上記室内機の側面図である。
【図３】図３は上記室内機の前面グリルと閉状態の吸込パネルの断面図である。
【図４】図４は図３に示す室内機の上側の領域Ａの拡大図である。
【図５】図５は図３に示す室内機の下側の領域Ｂの拡大図である。
【図６】図６は上記室内機の前面グリルと開いた状態の吸込パネルの断面図である。
【符号の説明】
【００４１】
１…室内機
１１…底フレーム
１２…前面グリル
１２a…上側吹出口
１２b…下側吹出口
１３…吸込パネル
１３a…上側吸込口
１３b…下側吸込口
１３c…側方吸込口
１４…フラップ
１５…上側カバー
１７…右側カバー
１８…室内ファン
４０…水平部
４１…リブ
４２…支持穴
４３…係止部
４４…係合部
【図１】
2008256277.tif 000003
【図２】
2008256277.tif 000004
【図３】
2008256277.tif 000005
【図４】
2008256277.tif 000006
【図５】
2008256277.tif 000007
【図６】
2008256277.tif 000008